(57)【要約】【課題】歯車と軸の回り止め部分において、芯出しの精度を高くすると共に歯車の傾きを無くし、異音や振動の発生を防止して低コストが図れる魚釣用リ−ルを提供する。【解決手段】本発明の魚釣用リールは、駆動機構の回転で回転される回転軸２ａの外周に非円形状の回り止め部ｂと円形状の支持部ａを形成し、歯車３の一側内部に非円形状の回り止め部ｂに嵌合する凹部からなる嵌合部３ｄと該歯車３の円筒部３ａに円形状の支持部ａに嵌合する中心孔３ｃを形成し、歯車３の円筒部３ａをリール本体１に設けた軸受１１に軸承して歯車３を直接回転支持すると共に、回転軸２ａの円形状の支持部ａと歯車３の円筒部３ａとの嵌合する間に弾性部材１３を介在させたたことを特徴とする。【選択図】図２
2007037556.tif 000002
【特許請求の範囲】
【請求項１】
リールの構成部品を収容するリール本体と、該リール本体内に釣糸をスプールに巻回する駆動機構を設けた魚釣用リールにおいて、
前記駆動機構の回転で回転される回転軸の外周に非円形状の回り止め部と円形状の支持部を形成し、歯車の一側内部に前記非円形状の回り止め部に嵌合する凹部からなる嵌合部と該歯車の円筒部に前記円形状の支持部に嵌合する中心孔を形成し、
該歯車の円筒部を前記リール本体に設けた軸受に軸承して該歯車を直接回転支持すると共に、前記回転軸の円形状の支持部と前記歯車の円筒部との嵌合する間に弾性部材を介在させたことを特徴とする魚釣用リール。
【発明の詳細な説明】
【技術分野】
【０００１】
この発明は、リ−ル本体内に設けた駆動機構の回転で回転される回転軸と歯車の回り止め嵌合部のガタを防止するように改善した魚釣用リ−ルに関する。
【背景技術】
【０００２】
従来、魚釣用リ−ルは、リ−ル本体内部に巻取り駆動機構やオシレ−ト機構を収容しており、該巻取り駆動機構及び該オシレ−ト機構へは、リ−ル本体に回転可能に取り付けられたハンドルの回転駆動力が歯車列を介して動力伝達されている。歯車は通常、軸に回り止め嵌合されており、その構成は、軸にスリ割り等の非円形部を形成し、同様に形状の孔を歯車に加工して双方を嵌合させることで行う構成であるが、この場合、非円形部にガタを生じ易く、又、軸と歯車の芯出しが難しい為、歯車が偏芯することが有り、早急な改善が望まれていた。
【０００３】
前記の不具合を解消するべく、例えば、特許文献１には、歯車に円形の孔を形成すると共に、非円形部を形成し、軸部の円形部と歯車の円形部とで芯出しを行いながら、軸部の非円形部に係合した突起を有するプレ−トに歯車の非円形部を係合させることで芯出しの精度を上げながら回り止めする技術が記載されている。
【特許文献１】特開平９−３１３０７９号
【発明の開示】
【発明が解決しようとする課題】
【０００４】
しかし、上記した公知技術は、芯出しの精度は向上するが、歯車と軸の回り止めを、別部材を介して行っている為、ラジアルガタが大きく、又、スラスト方向のガタを抑えることが出来ない為、通常巻取り時に異音や振動を発生させてしまう。特に、非円形部にガタが生じ易くなると、歯車が傾き易くなり、これにより噛み合い不良が生じたり、歯面の偏磨耗が生じてしまい、これが、異音や振動の発生につながり、かつ耐久性を低下させてしまう。更に、部品点数が多く組み込み難い為、製造・組立コストが嵩み、リ−ルが高価となってしまう。
【０００５】
本発明は、上記した問題に着目してなされたものであり、歯車と軸の回り止め部分において、芯出しの精度を高くすると共に歯車の傾きを無くし、更には、異音や振動の発生を防止して低コストが図れる魚釣用リ−ルを提供することを目的とする。
【課題を解決するための手段】
【０００６】
上記課題を解決するために、本発明は、リールの構成部品を収容するリール本体と、該リール本体内に釣糸をスプールに巻回する駆動機構を設けた魚釣用リールにおいて、前記駆動機構の回転で回転される回転軸の外周に非円形状の回り止め部と円形状の支持部を形成し、歯車の一側内部に前記非円形状の回り止め部に嵌合する凹部からなる嵌合部と該歯車の円筒部に前記円形状の支持部に嵌合する中心孔を形成し、該歯車の円筒部を前記リール本体に設けた軸受に軸承して該歯車を直接回転支持すると共に、前記回転軸の円形状の支持部と前記歯車の円筒部との嵌合する間に弾性部材を介在させたことを特徴とする。
【発明の効果】
【０００７】
本発明によれば、歯車と軸の回り止め部分において、芯出しの精度が高くかつ歯車の傾きが無くなり、異音や振動の発生を防止して低コストが図れる魚釣用リ−ルが得られる。
【発明を実施するための最良の形態】
【０００８】
図１から図４は、本発明に係る魚釣用リールの一実施形態である魚釣用スピニングリールを示しており、図１は魚釣用スピニングリ−ルの要部断面平面図、図２は魚釣用スピニングリ−ルの要部拡大断面平面図、図３は回転軸と歯車の分解拡大断面平面図、図４は回転軸と歯車の分解斜視図である。
【０００９】
魚釣用スピニングリ−ルは、リ−ル本体１の一側開口が蓋体１０で閉塞され、蓋体１０はリ−ル本体１に形成された図示しないビスで取り付けられている。リ−ル本体１に取り付けられた防水軸受１１に回転体２の回転軸２ａ他側外周が歯車３の円筒部３ａを介して軸承され、蓋体１０に取り付けられた防水軸受１２で回転体２の回転軸２ａの一側外周が軸承されている。回転軸２ａの外周一側には駆動歯車２ｂが一体に形成され、回転軸２ａの外周他側に鍔部２ｃと切欠き２ｄで非円形状の回り止め部ｂと円形状の支持部ａと周溝２ｅが形成されている。周溝２ｅにはＯリングからなる弾性部材１３が嵌められている。非円形状の回り止め部ｂと円形状の支持部ａに歯車３が嵌合されて回り止めされている。
【００１０】
歯車３には円筒部３ａと歯部３ｂと中心孔３ｃが形成され、中心孔３ｃの一側内部に非円形状の回り止め部ｂが嵌合される凹部からなる嵌合部３ｄが形成されている。
【００１１】
回転軸２ａには、図２に示すように、右側の端部から左側に向けて雌ネジ穴２ｆとバカ穴２ｇと雌ネジ穴２ｈとバカ穴２ｊが形成されている。前記雌ネジ穴２ｆにはハンドル軸４の雄ネジ４ａが螺合される。この時ハンドル軸４の雄ネジ４ｂはバカ穴２ｇの中に挿入されている。ハンドル軸４の左右交換で雄ネジ４ｂが雌ネジ穴２ｈに螺合される時は、雄ネジ４ａはバカ穴２ｉの中に挿入される。ハンドル軸４にはハンドル１４が折り畳み可能に連結されている。
【００１２】
リ−ル本体１の前部には防水軸受１５で回転軸筒５が回転自在に軸受されると共に前側に突出されている。軸受１５より前側の回転軸筒５の外周に逆転防止爪車１６とロ−タ６の中心軸筒６ａが嵌合されてナット１７で固定されている。回転軸筒５の基端５ａは軸受部１ａの透孔１ｂで回転自在に軸承され、基端５ａの前側に一体的に形成されたピニオン５ｂに駆動歯車２ｂが噛合されてロ−タ６はハンドル１４の回転に連動して回転されるように支持されている。回転軸筒５の中心孔５ｃには先端にスプ−ル１８が取り付けられたスプ−ル軸７が前後往復動可能に摺動自在に挿入され、スプ−ル軸７の後端の回り止め部７ａに摺動体８がビス１９で取り付けられている。
【００１３】
ロ−タ６は中心軸筒６ａで回転軸筒５に取り付けられ、中心軸筒６ａと前壁６ｂと大径の筒部６ｃと大径の筒部６ｃの基部６ｄ、６ｅの外周から前方に向けて突出された一対の支持腕６ｆ、６ｇとで形成されている。一対のベ−ル支持腕６ｆ、６ｇの先端部外側に一方のベ−ル支持部材２０と他方のベ−ル支持部材２１がビス２２、２３で釣糸巻取位置と釣糸放出位置に反転自在に軸承されている。一方のベ−ル支持部材２０には釣糸案内ロ−ラ２４の取付部２５が取り付けられている。他方のベ−ル支持部材２１と釣糸案内ロ−ラ２４の取付部２５の間にベ−ル２６が取り付けられている。スプ−ル１８に巻回された釣糸２７は釣糸案内ロ−ラ２４で案内されて引き出される。
【００１４】
摺動体８は板状の本体部８ａと突出部８ｂとで形成されている。本体部８ａには縦方向の係合溝８ｃが形成され、突出部８ｂに横向きの回り止め透孔８ｄが形成されている。更に突出部８ｂには回り止め透孔８ｄと直交するビス孔８ｅが形成されてビス１９が挿入されている。摺動体８はリ−ル本体１の前後方向に設けた図示しない軸杆によってスプ−ル軸７に対する回転方向の動きの規制を図りながら前後方向に移動案内可能に設けられている。摺動体８と連動歯車９の対向面は互いに接触しないように間隙が形成されて摺動体８を前後方向に移動案内している。
【００１５】
リ−ル本体１内の側壁面に軸筒からなる支持部１ｃが形成されて支持部１ｃに連動歯車９が転がり軸受２８を介して軸承されると共に、側壁面に形成されたリブからなる環状の台部１ｄ上に載せられている。連動歯車９は平歯車状に形成されて外周に歯部９ａが形成され、中心に軸孔９ｂが形成されて一側面の偏心位置に係合突部９ｃが形成されている。連動歯車９の中心の軸孔９ｂに転がり軸受２８が挿入されて転がり軸受２８はリ−ル本体１内の軸筒からなる支持部１ｃに螺合されたビス２９で抜け止めされている。連動歯車９の係合突部９ｃは摺動体８の係合溝８ｃに挿入されている。連動歯車９は回転軸２ａ外周に回り止め嵌合された歯車３に噛合されている。本実施形態では、歯車３と連動歯車９と摺動体８でスプ−ル１８とスプ−ル軸７が前後往復動可能のオシレ−ト機構が構成されている。
【００１６】
スプ−ル１８は、釣糸２７が巻回される外周の釣糸巻回胴部１８ａと、前側の鍔部１８ｂと、後側の大径の筒部１８ｃとで形成されている。
【００１７】
魚釣用スピニングリ−ルの動作は、一方のベ−ル支持部材２０と他方のベ−ル支持部材２１が釣糸巻取位置にあって釣糸２７がスプ−ル１８に巻回される方向にハンドル１４が回転されると、駆動歯車２ｂが回転されてピニオン５ｂを介して回転軸筒５が回転され、ロ−タ６が回転される。駆動歯車２ｂが回転されると、回転軸２ａが回転されて歯車３が回転され、連動歯車９が回転される。連動歯車９の回転で摺動体８が係合突部９ｃで直線往復動されてスプ−ル軸７とスプ−ル１８が直線往復動され、一方のベ−ル支持部材２０に設けられた釣糸案内ロ−ラ２４で釣糸２７が案内されて前後に往復動されるスプ−ル１８に平行に巻回される。即ち連動歯車９の回転運動で摺動体８とスプ−ル軸７とスプ−ル１８が直線往復運動に変換される。
【００１８】
回転体２の回転で駆動力が伝達される歯車３は、回転体２の回転軸２ａの円形状の支持部ａに歯車３の円筒部３ａが嵌合されてＯリングからなる弾性部材１３が介在され、回転軸２ａの非円形状の回り止め部ｂと歯車３の凹部からなる嵌合部３ｄで回り止めされて回転軸２ａの駆動力が歯車３に伝達される。
【００１９】
前記のように魚釣用リ−ルが構成されると、回転体２の回転軸２ａの円形状の支持部ａに歯車３の円筒部３ａが嵌合されて回転軸２ａの非円形状の回り止め部ｂと歯車３の凹部からなる嵌合部３ｄで回り止めされて回転軸２ａの駆動力が歯車３に伝達されるから、公知技術と比較して、部品点数が少なく、組み込み易いので、製造コスト及び組立コストを押さえることが出来る。また、回転体２の回転軸２ａの円形状の支持部ａと歯車３の円筒部３ａの間にＯリングからなる弾性部材１３を介在させることで、回転軸２ａと歯車３の嵌合部のガタ付きが減り、特に軽負荷時においてガタをゼロとすることが出来るので、通常巻取り時の振動や異音を防止出来る。
【００２０】
さらに、歯車３の円筒部３ａの中に回転体２の回転軸２ａを嵌合し、円筒部３ａを軸受１１に軸承して歯車３を直接回転支持するので、歯車３の傾きによる噛み合い不良を解消出来、歯面の偏摩耗を防ぐこととなり、異音及び振動を防止し且つ耐久性が著しく向上する。この場合、回転体２の回転軸２ａの円形状の支持部ａと歯車３の円筒部３ａの間にＯリングからなる弾性部材１３を介在させることで、異音及び振動を防止し且つ耐久性を向上させると同時に、回転軸２ａと歯車３間からの水の浸入を阻止出来るので、高耐久性且つ高い防水性を備えたリ−ルを提供することが可能となる。
【００２１】
また、回転軸２ａの非円形状の回り止め部ｂと歯車３の凹部からなる嵌合部３ｄで回り止めを行い、回転軸２ａの円形状の支持部ａと歯車３の円筒部３ａで芯出しと軸支を行うので、歯車３の支持精度が高くなり、且つ、円形状の支持部ａに弾性部材１３を介在させることで弾性部材１３の保持溝を形成し易くなり、加工が簡単となる上に、歯車３と回転軸２ａとの嵌合部のガタ付きが減り、特に軽負荷においてガタをゼロとすることが出来るので、通常巻取り時の振動や異音を防止出来る。
【００２２】
図５は、本発明の第２の実施形態を示す図であり、上記した魚釣用スピニングリールにおける回転軸と歯車の拡大断面平面図である。
【００２３】
この実施形態では、回転体２の回転軸２ａの非円形状の回り止め部ｂをピン３０で構成し、歯車３にピン３０が嵌合可能な凹部からなる嵌合部３ｅが形成されている。他の構成は前記第１の実施形態と略同一である。
【００２４】
以上、本発明の実施形態について説明したが、本発明は、上記した魚釣用スピニングリール以外にも、両軸受型リール等、他の形式の魚釣用リールにおける各種の回転軸と歯車の回り止め嵌合部に適用することが可能である。例えば、オシレート機構における螺旋溝が形成された駆動軸と、それに嵌合され、ドライブギヤによって回転駆動される歯車部分に適用することが可能である。
【図面の簡単な説明】
【００２５】
【図１】魚釣用リールの第１の実施形態を示しており、魚釣用スピニングリ−ルの要部断面平面図。
【図２】魚釣用スピニングリ−ルの要部拡大断面平面図。
【図３】回転軸と歯車の分解拡大断面平面図。
【図４】回転軸と歯車の分解斜視図。
【図５】第２の実施形態を示す図であり、魚釣用スピニングリールにおける回転軸と歯車の拡大断面平面図。
【符号の説明】
【００２６】
１  リ−ル本体
２ａ  回転軸
３  歯車
３ａ  円筒部
３ｄ、３ｅ  嵌合部
１３  弾性部材
ａ  円形状の支持部
ｂ  非円形状の回り止め部
【図１】
2007037556.tif 000003
【図２】
2007037556.tif 000004
【図３】
2007037556.tif 000005
【図４】
2007037556.tif 000006
【図５】
2007037556.tif 000007